(57)【特許請求の範囲】
【請求項１】
スキーリフトの椅子式搬器は背板を搬器フレームに「起立位置」と「転倒位置」の二位置間で枢動自在に枢支して具えた搬器であって、
前記搬器フレームに固着されてセーフティーバーを枢動自在に支承したサポートブラケットと、
該サポートブラケットへ前記セーフティーバーの枢動芯と同芯上に弾性リングを介在させて捩じり附勢可能に支承した支持ビームと、
該支持ビームへ固着したフックとよりなり、
前記背板を、
前記フックにより該弾性リングの捩じり反力が作用する状態で「起立位置」に係止した状態と、
前記フックの係止を解除して「起立位置」と「転倒位置」との間で枢動可能にした状態とに切換可能としたこと
を特徴とする索道の椅子式搬器の背板ロック機構。
【発明の詳細な説明】
【０００１】
【発明の属する技術】
本発明は索道のスキーリフトで用いる椅子式搬器の構造に関する。
【０００２】
【従来の技術】
図７、図８はスキー場等で従来より最も多用されて一般的なスキーリフトの２人乗り椅子式搬器の構成を示したものである。
【０００３】
搬器５０は頭部に索条６０を握索する握索機５１と、該握索機５１には図８の正面視で鋼管を”Ｊ”字状に湾曲して形成したサスペンダー５２の上端部を枢着する。かかるサスペンダー５２にはジョイントプレート５３を介在して図８の正面視で鋼管を略門型に折り曲げて形成した搬器フレーム５４を懸垂する。かかる搬器フレーム５４の下部には乗客やスキーヤーが着座するための座板５６と背板５７とが備えられている。さらに、座板５６の両側に位置して搬器フレーム５４にはスキーヤーの落下を防止するための手摺５５、５５が固着された構成になっている。
【０００４】
【発明が解決しようとする課題】
しかしながら、従来の椅子式搬器５０では乗客やスキーヤーが着座する座席の背板５７は搬器フレーム５４に固着して取り付けられた状態になっている。そのために雪の降る天候で搬器５０を運転するとスキーヤーが乗車していない空車の搬器５０では線路を運行中に座板５６や背板５７に着雪をする。従って、スキーヤーが乗降する停留場では運転係員が次に乗車するスキーヤーに不快感を与えないように座板５６や背板５７に付着した雪を払い拭う作業を行っている。
【０００５】
近年、自動循環式索道で用いられる椅子式搬器に於いては従来の２人乗りから４人乗りや６人乗りの大型の椅子式搬器が用いられている。このように椅子式搬器で乗車定員が増えると搬器の幅が広がり、従って当然のことながら座板や背板も幅が広がることになり、それだけ運転係員の除雪作業の負担が大きくなる問題点があった。この問題点を解決するために、本発明の課題は特に大型の椅子式搬器で座板や背板にできるだけ着雪しないような構造の搬器を提供することにある。
【０００６】
【課題を解決すための手段】
スキーリフトの椅子式搬器は背板を搬器フレームに「起立位置」と「転倒位置」の二位置間で枢動自在に枢支して具えた搬器であって、
前記搬器フレームに固着されてセーフティーバーを枢動自在に支承したサポートブラケットと、
該サポートブラケットへ前記セーフティーバーの枢動芯と同芯上に弾性リングを介在させて捩じり附勢可能に支承した支持ビームと、
該支持ビームへ固着したフックとよりなり、
前記背板を、
前記フックにより該弾性リングの捩じり反力が作用する状態で「起立位置」に係止した状態と、
前記フックの係止を解除して「起立位置」と「転倒位置」との間で枢動可能にした状態とに切換可能とする。
【０００７】
【発明の実施の形態】
本発明はスキー場に架設したスキーリフトで特に４人乗りや６人乗りの大型の椅子式搬器の構成についてのものである。
【０００８】
スキーヤーが腰掛ける座席の背板について一端側を搬器フレームへ枢支して「起立位置」と「転倒位置」との二位置に起伏できる構造とする。これとは別に椅子式搬器の搬器フレームにはセーフティーバーをトーションバーで附勢して枢動自在に軸支して具える。かかるセーフティーバーは着座したスキーヤーが手で引き下げると腹部あたりの高さに位置して着座したスキーヤーを囲う状態になりスキーヤーの落下を防止する。反対にスキーヤーが手で頭上にまで跳ね上げると囲いが無くなった状態になり乗車または降車が可能になる。その際、スキーヤーの操作力をトーションバーの捩じり反力で補うようにしている。
【０００９】
前記したセーフティーバーの枢動軸へ搬器フレームの全幅とほぼ等しい長さ支持ビームを一端側にはブッシュと他端側には弾性リングとを嵌入して介在させて取り付けるようにする。そして支持ビームには２箇所にフックを挟持して固着する。
【００１０】
こうして背板を「起立位置」にした場合には弾性リングの捩じり反力が作用するフックに背板の自由端側を係止して「起立位置」を維持するようにする。反対に背板の自由端から弾性リングの捩じり反力に抗して外すと背板を「転倒位置」へ倒すことが出来る。このように背板を倒すと座板の表面に背板の表面が当接しする。そして背板の背面側が上方に向くので座板と背板の表面、即ち、スキーヤーが乗車する面には着雪することを防ぐことが出来る。
【００１１】
【実施例】
以下、本発明の実施例の詳細について図を用いて説明する。
【００１２】
図１は本発明の椅子式搬器１に背板ロック機構を組み入れた椅子式搬器１の側面図を示し、図２は図１の椅子式搬器２の正面図を示す。
【００１３】
搬器１は大別して握索機２とサスペンダー３および搬器フレーム５とから成る。図示の上部より握索機２にはサスペンダー３の上端側が搬器１の進行方向へ揺動自在に枢着されている。かかるサスペンダー３は図２で示す様に角型や丸型鋼管を略”Ｊ”字状に湾曲して形成されている。そして、サスペンダー３の下部の水平部分にはジョイントプレート４で搬器フレーム５が吊り下げられている。ジョイントプレート４と搬器フレーム５との間には本願出願人により実開昭６２−１７０３７０号「索道搬器の緩衝構造」で提案された緩衝構造が介在している。
【００１４】
搬器フレーム５は正面視で例えば角型または丸型鋼管を用いた通常ベイル型或いはループ型と称されて正面視で無端状に背板１２の上部付近でやや外側に膨出異形六角形に形成されたもので該異形六角形の内側の領域がスキーヤーが乗車する部位である。
【００１５】
図２、図３で示すように搬器フレーム５の下部の両側にはサポートブラケット１３、１３を搬器フレーム５を形成する丸型鋼管を挟み込んでボルト３５、３５およびボルト３５、３５で固着している。
【００１６】
つづいて、図４はセーフティーバー１０と本発明の主要部であるフック２５，２５の枢動芯４０を図３で示した矢印Ａ−Ａ方向に断面にして示したもんである。始めに、図示右側のサポートブラケット１３のフランジ部１３ａには枢動芯４０上には図示左側の内側より軸受１８を内包して軸受ケース２０とで挟み込みボルト３７，３７で締結する。つぎに、軸受１８で支持軸１６を回転自在に支持し、さらにフランジ部１３ａから図示右側に突出した箇所には一方側のサポート１４をナット１７で軸方向へ締め付けて固着する。
【００１７】
さらに、枢動芯４０上には断面が方形のトションバー２４を右端部側は図示右側のサポートブラケット１３に軸受１８を内包して取り付けた軸受ケース２０の軸部２０ａの中心を貫通して回転が拘束された状態で支持され、左端部は図示左側の支持軸１５を中心部へ同様にして回転を拘束した状態で嵌入して支持するようにする。従って、椅子式搬器１に乗車したスキーヤーが手で枢動芯４０を中心にして上下方向に回動させると支持軸１５と共にトーションバー２４の左端側だけが回転する。
【００１８】
セーフティーバー１０が跳上位置１０Ｂにある時、トーションバー２４は捩じられない自由状態となる様に取り付けておくと、セーフティーバー１０を保護位置１０Ａへ回動させるとセーフティーバー１０の自重によるモーメントがトーションバー２４に作用して捩じり附勢される。従って、スキーヤーがセーフティーバー１０を逆に保護位置１０Ａから跳上位置１０Ｂへ跳ね上げる際の操作力は捩じり附勢されたトーションバー２４の反力で補われることになる。
【００１９】
さらに、右側の軸受ケース２０の軸部２０ａへは中空筒状の支持ビーム２２の右端側を弾性リング２１お嵌入して介在させて支持し、左側の支持軸１５へは支持ビームの左端側をブッシュ２３を挿入して介在させて支持するようにする。
【００２０】
ここで、上記した弾性リング２１とは例えば鋼製の外輪と内輪の間にゴム材の様な弾性体を注入して構成されたものでトーションバーと同様に捩じり附勢して用いる部品である。そして、ブッシュ２３は滑り軸受と同様の部品である。
【００２１】
さらに、トーションバー２４と支持ビーム２２とで作る空間をほぼ充填する様に形成した筒状のカラー２９をトーションバー２４へ装着する。そして、図５に示す様にして支持ビーム２２には二箇所にフック２５，２５を本体２６，２６と挟持ブロック２７，２７とで支持ビーム２２を挟み込んで２本のボルト２８，２８および２８，２８で締め付けて固着をする。
【００２２】
図３は図１の椅子式搬器１の側面を部分的に拡大したものである。背板１２には搬器フレーム５の下端であって両側にそれぞれ固着して延出されているピン１１，１１で上下方向に回動自在に枢着されている。例えば、スキーリフトを営業運転中にあっては背板１２が起立位置１２Ａにある時には背板１２の先端部に側面視で釣り針状に形成された係合部１２ａが前記の構成で２箇所に具えられたフック２５，２５と係合する。
【００２３】
かかるフック２５，２５が背板１２へ係合した状態ではフック２５，２５が固着された弾性リング２１の捩じり反力が矢印３１方向に作用してフック２５，２５が背板１２から外れないようにしている。即ち、背板１２が不時、起立位置１２Ａから転倒位置１２Ｂへ倒れないようにしている。そして、フック２５，２５を支持ビーム２２へ固着する際の係止部２６ａ，２６ａの角度を変えることで背板１２へフック２５，２５が係合した時の弾性リング２１による捩じり反力を調整することが出来るようにしている。
【００２４】
反対に、例えばスキーリフトを営業以外の点検や作業等の目的で動かす場合については前記した弾性リング２１の捩じり反力に抗して図６で示したフック２５，２５を実線で示した矢印３０方向へ強制的に回して背板１２の係合部１２ａから外して二点鎖線で示した起立位置１２Ａから実線で示した転倒位置１２Ｂへ倒すようにする。
【００２５】
この様に背板１２を倒した状態ではスキーヤーが着座する側の座板７の表面と倒れた背板１２の表面とが当接して重なるようになる。その際、背板１２の裏面が上方に向いて座板７を覆う状態になるので座板７と背板１２の表面、即ち、スキーヤーが乗車する面には降雪時に着雪するのを防ぐことが出来るものである。
【００２６】
【発明の効果】
従来のスキーリフトの２人乗り椅子式搬器でスキーヤーが着座する背板は搬器フレーム側に固定して取り付けられていた。その為に、降雪持には背板に着雪するために係員が背板に付いた雪を払い落としていた。
【００２７】
本発明は自動循環式索道のスキーリフトで主に４人〜６人乗りの椅子式搬器について背板を可倒式にして背板ロック機構で背板を起立位置に保持すると共に必要によりロック機構を外して背板を倒すことも可能とした。
【００２８】
背板ロック機構は乗車したスキーヤーの落下を防止するために上下に回動自在に具えたセーフティーバーの枢動芯と同芯上で支持バーに嵌入した弾性リングと支持バーにフックを固着して背板と係脱可能な構成とする。
【００２９】
こうして、背板ロック機構を出来るだけ小さくすると共にフックを捩じり附勢している弾性リングが外部へ露出していないので損傷しにくく安定したロック作用が出来る効果がある。付随して降雪時には背板ロック機構を外して背板を倒しておけば座板および背板に着雪することを防ぐ効果もある。
【図面の簡単な説明】
【図１】本発明の背板ロック機構を備えた椅子式搬器の側面図である。
【図２】図１の本発明の背板ロック機構を備えた椅子式搬器の正面図である。
【図３】図１の椅子式搬器のスキーヤーが乗車する座席部分の側面図である。
【図４】図３の矢印Ａ−Ａ方向に断面にした本発明の背板ロック機構の構成を示す一部を断面にした正面図である。
【図５】本発明の背板ロック機構のフックの取り付け状態を説明したフックを断面にして示す側面図である。
【図６】セーフティバーを上方に回動して本発明の背板ロック機構を外して背板を「転倒位置」へ倒した状態を示した座席部分の側面図である。
【図７】従来の椅子式搬器の構成を示した側面図である。
【図８】従来の椅子式搬器の構成を示した図７の正面図である。
【符号の説明】
１    椅子式搬器
２    握索機
３    サスペンダー
４    ジョイントプレート
５    搬器フレーム
６    接続バー
７    座板
７ａ  緩衝ゴム
８，８  ピン
９，９  手摺
１０  セーフティーバー
１０Ａ  保護位置
１０Ｂ  跳上位置
１１  ピン
１２  背板
１２ａ  係合部（自由端）
１２Ａ  起立位置
１２Ｂ  転倒位置
１３  サポートブラケット
１３ａ，１３ａ  フランジ部
１３ｂ  接続バー
１４  サポート
１５，１６  支持軸
１７，１７，…  ナット
１８，１８  軸受
１８ａ  カラー
１９  軸受ケース
２０  軸受ケース
２０ａ  軸部
２１  弾性リング
２２  支持ビーム
２３  ブッシュ
２４  トーションバー
２５  フック
２５Ａ  係合位置
２５Ｂ  離脱位置
２６  本体
２６ａ  係止部
２７  挟持ブロック
２８，２８  締付ねじ
２９  位置決めカラー
３０，３１，３２，３３  矢印
３５，３５，…  ボルト
３６，３６，…  ボルト
３７，３７，…  ボルト
４０  枢動芯
５０  椅子式搬器
５１  握索機
５２  サスペンダー
５３  ジョイントプレート
５４  搬器フレーム
５５，５５  手摺
５６  座板
５７  背板
６０，７０  索条
Ａ，Ａ  矢印
【図１】
0004097750.tif 000002
【図２】
0004097750.tif 000003
【図３】
0004097750.tif 000004
【図４】
0004097750.tif 000005
【図５】
0004097750.tif 000006
【図６】
0004097750.tif 000007
【図７】
0004097750.tif 000008
【図８】
0004097750.tif 000009